(57)【要約】【課題】バッティングなど被スイング体を使用したスイングを、力強くしかも正しい軌道で行う練習を容易に行うことのできるスイング矯正具の提供を目的としている。【解決手段】被スイング体のグリップ部に着脱自在に装着される装着手段と、前記装着手段を被スイング体に装着させた状態で、グリップ部と同時に把持可能な間隔で隙間を有した状態で配置されるとともに、グリップ部側へ移動可能となっている指掛け部と、前記指掛け部を、その配置位置からグリップ部側へ引き寄せる力に対する反撥力を有するように指掛け部に連結されている弾性手段とを備えている構成とした。【選択図】      図１
2005102952.tif 000002
【特許請求の範囲】
【請求項１】
被スイング体のグリップ部に着脱自在に装着される装着手段と、
前記装着手段を被スイング体に装着させた状態で、グリップ部と同時に把持可能な間隔で隙間を有した状態で配置されるとともに、グリップ部側へ移動可能となっている指掛け部と、
前記指掛け部を、その配置位置からグリップ部側へ引き寄せる力に対する反撥力を有するように指掛け部に連結されている弾性手段とを備えているスイング矯正具。
【請求項２】
装着手段が、被スイング体のグリップ部の側面形状に合わせた凹形状をしている装着部と、グリップ部の側面に沿わせて嵌合させた状態の装着部を固定する固定手段とを備えている請求項１に記載のスイング矯正具。
【発明の詳細な説明】
【技術分野】
【０００１】
本発明は、野球などに使用するバット、テニスに使用するラケット、剣道に使用する竹刀などにとりつけて、スイングを矯正するスイング矯正具に関する。
【背景技術】
【０００２】
野球やソフトボールなどに使用するバット、テニスに使用するラケット、剣道に使用する竹刀などの被スイング体を使用するスポーツでは、被スイング体のスイングが競技を行う上で非常に重要な役割を有するため、美しいスイングのフォームや力強さを身につけることを目的として、被スイング体を素振りするなどの練習が行われている。
しかし、単に素振りを行うだけでは、スイングを行う際における力の入れ具合や手首のひねり具合などをどのように行えばよいのかが分からず、却って悪い癖がついてしまうおそれもある。
【０００３】
そこで、スイングを矯正しながら素振りを行うことができるための用具として、一対のグリップを有し、これらのグリップを左右の手で別々に握るときに左右の手の略手首の部分が交差するとともに、左右の手の甲の部分が略対向するようになっている野球バットが提案されている。（特許文献１参照）
【０００４】
【特許文献１】特開平１１−１１４１１７号公報
【発明の開示】
【発明が解決しようとする課題】
【０００５】
しかし、特開平１１−１１４１１７号公報に記載された野球用バットは、一対のグリップを有し、これらのグリップを左右の手で別々に握るときに、左右の手の略手首の部分が交差するとともに、左右の手の甲の部分が互いにほぼ対向するように配置された状態でスイングを行うようになっているため、しゃくりあげるような打撃フォームを改善することができたとしても、力強いスイングを練習するには不適であるという問題がある。
【０００６】
また、上述した野球用バットは、両手の配置が不自然な状態でスイングを行うため、球を打ち返すときに力負けをしてしまう可能性が高く、トスバッティングや、マシンや打撃投手から放出された球を打つインパクトの瞬間の力の入れ具合がむずかしいのに加えて、手首を痛めてしまうおそれがある。
【０００７】
そこで、本発明は、上記事情に鑑みて、バッティングなど被スイング体を使用したスイングを、力強くしかも正しい軌道で行う練習を容易に行うことのできるスイング矯正具の提供を目的としている。
【課題を解決するための手段】
【０００８】
上記目的を達成するために、本発明の請求項１の記載にかかるスイング矯正具（以下、「請求項１の矯正具」と記す。）は、被スイング体のグリップ部に着脱自在に装着される装着手段と、前記装着手段を被スイング体に装着させた状態で、グリップ部と同時に把持可能な間隔で隙間を有した状態で配置されるとともに、グリップ部側へ移動可能となっている指掛け部と、前記指掛け部を、その配置位置からグリップ部側へ引き寄せる力に対する反撥力を有するように指掛け部に連結されている弾性手段とを備えている構成とした。
【０００９】
また、本発明の請求項２の記載にかかるスイング矯正具（以下、「請求項２の強制具」と記す。）は、請求項１の強制具の構成に加えて、装着手段が、被スイング体のグリップ部の側面形状に合わせた凹形状をしている装着部と、グリップ部の側面に沿わせて嵌合させた状態の装着部を固定する固定手段とを備えている構成とした。
【００１０】
上記構成において、被スイング体とは、スイングをする際に使用するもののことをいい、具体的には、野球やソフトボールなどに使用するバット、テニスに使用するラケット、ゴルフに使用するクラブ、剣道に使用する竹刀などが挙げられるが、これ以外であっても、素振り（スイング）を行うことのできる棒状をしているものであれば特に限定されない。
【００１１】
また、グリップ部とは、被スイング体をスイングする際に、手で把持する部分のことをいう。
また、装着手段は、スイング矯正具を被スイング体に着脱自在に装着することができるのであれば、どのような方法で装着するようにしてもよく、特に限定されないが、たとえば、釘やビスなどを使用して装着する手段、ネジなどの締結具を使用して装着する手段、ベルトで固定する手段、粘着テープで固定する手段などが挙げられるが、請求項２の矯正具のように、装着手段が、被スイング体のグリップ部の側面形状に合わせた凹形状をしている装着部と、グリップ部の側面に沿わせて嵌合させた状態の装着部を固定する固定ベルトとを備えていると、被スイング体を傷つけることなく装着手段を着脱することができるため好ましい。
【００１２】
なお、請求項２の強制具において、固定ベルトを構成する素材は、金属、樹脂、布、皮など特に限定されず、固定ベルトを締結するための手段も、一般の固定ベルトの締結に使用されている手段であれば、特に限定されない。
【００１３】
また、指掛け部は、被スイング体のグリップ部と同時に把持することができるだけの間隔を有した状態で配置され、さらに、グリップ部側へ移動するようになっていれば、弾性手段により直接支持されていても良いし、ヒンジなどの他の部材により支持されていて弾性手段が間接的に連結されていても構わない。
また、本発明において、弾性部材としては、たとえば、バネやゴムなどの他、一般に弾性部材として使用されているもの全てをいい、特に限定されない。このとき、弾性手段の弾性力は、使用する者の握力などにより適宜決定することができ、特に限定されない。
【発明の効果】
【００１４】
本発明にかかるスイング矯正具は、被スイング体に着脱自在に装着可能であるため、従来のバットやラケットなどをそのまま使用することができ、経済的である。
また、被スイング体をスイングするとき、指掛け部自体がスイングを行う際の軌道および把持している手首位置の目印としての役割を有することとなり、被スイング体のグリップ部と指掛け部とを同時に把持した状態でスイングすることで、指掛け部に掛けている指の位置を調整することで、正しいフォームでスイングするように自主的に矯正することが可能となる。
【００１５】
また、本発明にかかるスイング矯正具は、弾性手段を備えているため、スイングをしながら握力やリスト力を鍛えることができるとともに、たとえば、被スイング体がバットの場合、バットにボールが当る瞬間の最も力を入れる必要のある瞬間に指掛け部を弾性手段の付勢力以上の力で握り締めることでインパクトの瞬間に力を入れる練習を行うこともできる。
【００１６】
さらに、装着手段が、凹形状をしている装着部と、この装着部を固定する固定手段とを備える構成をしているスイング矯正具は、被スイング体を傷つけることなく確実に装着部を被スイング体に着脱することが可能となる。
【発明を実施するための最良の形態】
【００１７】
以下に、本発明を、その実施の形態をあらわす図面を参照しつつ詳しく説明する。
図１は、本発明にかかるスイング矯正具の１実施形態を示した斜視図である。
図１に示したように、スイング矯正具１は、装着部２１と、指掛け部３と、弾性手段４とを備えている。
【００１８】
装着部２１は、凹形状をした装着面２１ａを備えており、図２に示したように、被スイング体としてのバットＢのグリップ部分Ｇの側面に沿わせて嵌合可能となっている。
また、装着部２１は、図２に示したように、バットＢのグリップ部分Ｇに装着部２１を嵌合させた状態で固定ベルト２２を装着部２１およびグリップ部分Ｇが覆われるように巻回させることで、グリップ部分Ｇに固定されるようになっている。
【００１９】
指掛け部３は、図２に示したように、装着手段２によりスイング矯正具１がバットＢに取り付け固定されている状態にあるとき、グリップ部分Ｇと同時に把持できる位置に配置されるようになっている。
【００２０】
弾性手段４は、図１に示したように、ハンドグリップに使用されているようなタイプの金属製の渦巻きバネ形状をしており、指掛け部３を所定位置に配置させるように支持している。
また、弾性手段４は、指掛け部３とグリップ部分Ｇとを同時に把持している手を握り締めることで、指掛け部３がグリップ部分Ｇ側へ引き寄せられる力に対しての反発力を有している。
【００２１】
以上の構成をしているスイング矯正具１は、以下のようにして使用する。
・スイング矯正具１のバットＢへの取り付け：
まず、図１に示したように、スイング矯正具１を用意して、装着部２１の装着面２１ａをバットＢのグリップ部分Ｇの側面に沿わせて嵌合させた状態とする。
【００２２】
次に、図２に示したように、グリップ部分Ｇに装着面２１ａを勘合させた状態の装着部２１を、固定ベルト２２で覆うようにして締め付け、装着部２１をグリップ部分Ｇに固定させる。
固定ベルト２２の固定（締結）方法は、特に限定されないが、たとえば、バックルなどのベルトの締結に使用される部材を利用することなどが挙げられる。
以上の操作により、スイング矯正具１は、バットＢを傷つけることなく、バットＢに固定されるようになり、グリップ部分Ｇと同時に指掛け部３を把持した状態でバットＢを振り回しても外れたりすることがない。
【００２３】
・スイング矯正具１の使用例
上述したように、バットＢに装着固定したスイング矯正具１は、図３に示したように、右打ちの場合、右手でグリップ部分Ｇと、指掛け部３とを同時に把持すること以外は、通常と同様の使用方法でバットＢを扱って素振りを行う。
【００２４】
このとき、図３に示したように、指掛け部３が、素振りをしているバットＢのスイング軌道前方位置にくるように意識をするとともに、丁度バットＢとボールとが接触するスイング位置にバットＢが来たとき、指掛け部３を把持している右手を弾性手段４の反発力よりも強い力で握り締めて、指掛け部３をバットＢのグリップ部分Ｇ側へ引き付けるようにする。
【００２５】
以上のようにして素振りを繰り返すと、指掛け部３がスイング軌道の目印としての役割を有することとなり、スイングの際に右手の手首を前方にこねてしまうという悪い癖を矯正することで、投手が投げてくるボールに対し水平にバットＢを振る習慣が自然に身につき、正確かつ自在にボールをミートすることができるようになる。
また、スイングの際に指掛け部３を弾性手段４よりも強い力で握り締めることで、握力やリスト力を鍛えることができる。しかも、握り締めるタイミングを調整することで、バッティングにおけるインパクトの瞬間に力を入れるタイミングを養うことができる。これにより、手首のバネが強化され、バットスイングが早くなり、打球の飛距離を伸ばすことが可能となる。
【００２６】
また、スイング矯正具１は、木製バットや金属バットを始めとして、おもちゃのプラスチック製のバットなど種類を問わず既存のバットに取り付けることが可能であるため、所有しているバットをスイング矯正用のバットに安価に仕上げることが可能となる。
さらに、スイング矯正具１は、実際にボールを使用したりしなくても、スイングの強制を図ることができるため、場所を取ることがなくしかも安全である。
【００２７】
なお、本発明におけるスイング矯正具は、上記実施の形態に限定されるものではない。
たとえば、上記実施の形態では、被スイング体としてバットＢが用いられていたが、これに代えて、テニスのラケット、剣道の竹刀、ゴルフクラブなどを被スイング体として使用しても構わない。
【００２８】
これらの場合でも、テニスの場合、インパクトの瞬間に確りと面の固定をすることで強い打球に負けずに打ち返すだけのリスト力をつけることが可能となり、剣道の場合、竹刀のスイングスピードが速くなり、ゴルフの場合、打球の飛距離が伸びるようになるなどの効果を期待することができる。
【００２９】
また、指掛け部３の形状は、図４に示したような円柱形状に限らず、図５に示したような、装着部２０に嵌合するような凹部３１が設けられるようにしても構わない。このようにすると、図５に示したように、指掛け部３０をより強く握り締めることができ、より効率良く握力を鍛えることが可能となる。
【００３０】
また、弾性手段は、金属製のバネでなくても、たとえば、ゴムなどの弾性体を利用したバネを使用しても良いし、スプリングバネなどの他の形態をしているバネを使用しても構わない。
また、弾性手段は、使用する者の年齢差や体力差、また握力差により、適度な弾性強度を有したタイプのものを使用することができる。
【産業上の利用可能性】
【００３１】
本発明にかかるスイング矯正具は、以上のように構成されているので、被スイング体に装着して素振りを行うだけで、理想のスイングを身に付けることが可能となるとともに、握力やリスト力を養うことも可能であるため、野球やソフトボールのバッティング練習を始めとしてテニス、ゴルフ、剣道などの技術向上のための練習を容易にしかも安価に行うことが可能となる。
すなわち、本発明にかかるスイング矯正具は、バット、竹刀、ラケット、ゴルフクラブなどの被スイング体を使用するスポーツの技術向上に利用することができる。
【図面の簡単な説明】
【００３２】
【図１】本発明にかかるスイング矯正具の１実施形態を示した斜視図である。
【図２】図１に示したスイング矯正具をバットに装着した状態を示した斜視図である。
【図３】図１に示したスイング矯正具をバットに装着して使用している状態を示した説明図である。
【図４】図２に示したスイング矯正具が装着されたバットを下方から見た断面図である。
【図５】他の実施形態にかかるスイング矯正具が装着されたバットを下方から見た断面図である。
【符号の説明】
【００３３】
１          スイング矯正具
２          装着手段
２１        装着部
２２        固定ベルト
３          指掛け部
４          弾性手段
【図１】
2005102952.tif 000003
【図２】
2005102952.tif 000004
【図３】
2005102952.tif 000005
【図４】
2005102952.tif 000006
【図５】
2005102952.tif 000007